(57)【要約】【課題】  フラットハーネスの接続容易性を向上させ省スペース化を図る。【解決手段】  コネクタ１のコネクタハウジング１０の収容部１１に形成された端子側挿入口１６から挿入されたタブ端子３１は、導電部材４０の筒状に巻回された部分の外周と収容部１１の底面１１ａとの間に挿入されて外周と底面１１ａとに挟まれた状態で導電部材４０と導通する。ハーネス側挿入口１５を通して挿入されたＦＦＣ２０の端末部２１の複数の導体２２は、導電部材４０の筒状に巻回された部分の内周と更にその内側に巻かれた部分の外周との間に挿入されて内周とその内側に巻かれた部分の外周とに挟まれた状態で導電部材４０と導通する。ＦＦＣ２０の複数の導体２２とタブ端子３１とは、コネクタ１のコネクタハウジング１０に挿入するだけで導電部材４０を介して電気的に接続されるため、ＦＦＣ２０の接続容易性を向上させることができる。【選択図】  図３
2005093271.tif 000002
【特許請求の範囲】
【請求項１】
複数の導体が平面状に並設されると共に絶縁被覆で覆われてなり、その一端の少なくとも一方の面側の絶縁被覆が除去されて前記複数の導体が外部に露出されたフラットハーネスと、相手方接続端子とを接続するコネクタであって、
一方の側壁に前記フラットハーネスの前記複数の導体が露出された端部を挿入するハーネス側挿入口が形成されると共に、これと対向する他方の側壁に前記相手方接続端子を挿入する端子側挿入口が形成され、内部に接続空間部が形成された絶縁体からなるコネクタハウジングと、
このコネクタハウジングの前記接続空間部に収容されて、前記フラットハーネスの一端の外部に露出された複数の導体と前記相手方接続端子とを接続する導電部材であって、前記複数の導体の配列方向と平行な軸回りに筒状に巻回され、その外周と前記コネクタハウジングとの間に、前記ハーネス側挿入口から挿入されたフラットハーネスの一端及び前記端子側挿入口から挿入された相手方接続端子のうちの一方が挿入されて導通し、その内周と更にその内側に巻かれた部分の外周との間に、前記ハーネス側挿入口から挿入されたフラットハーネスの一端及び前記端子側挿入口から挿入された相手方接続端子のうちの他方が挿入されて導通する、前記複数の導体の配列方向に配列された複数の導電部材と
を備えてなることを特徴とするコネクタ。
【請求項２】
複数の導体が平面状に並設されると共に絶縁被覆で覆われてなり、その一端の少なくとも一方の面側の絶縁被覆が除去されて前記複数の導体が外部に露出されたフラットハーネスと、相手方接続端子と、これらを接続するコネクタとを有するフラットハーネスの接続構造であって、
前記コネクタは、
一方の側壁に前記フラットハーネスの前記複数の導体が露出された端部を挿入するハーネス側挿入口が形成されると共に、これと対向する他方の側壁に前記相手方接続端子を挿入する端子側挿入口が形成され、内部に接続空間部が形成された絶縁体からなるコネクタハウジングと、
このコネクタハウジングの前記接続空間部に収容された、前記フラットハーネスの一端の外部に露出された複数の導体と前記相手方接続端子とを接続する導電部材であって、前記複数の導体の配列方向と平行な軸回りに筒状に巻回され、その外周と前記コネクタハウジングとの間に、前記ハーネス側挿入口から挿入されたフラットハーネスの一端及び前記端子側挿入口から挿入された相手方接続端子のうちの一方が挿入されて導通し、その内周と更にその内側に巻かれた部分の外周との間に、前記ハーネス側挿入口から挿入されたフラットハーネスの一端及び前記端子側挿入口から挿入された相手方接続端子のうちの他方が挿入されて導通する、前記複数の導体の配列方向に配列された複数の導電部材と
を備えてなることを特徴とするフラットハーネスの接続構造。
【発明の詳細な説明】
【技術分野】
【０００１】
本発明は、複数の導体を平面状に並設してなるフラットハーネスの接続構造及びコネクタに関し、特に接続容易性を向上させることができるフラットハーネスの接続構造及びコネクタに関するものである。
【背景技術】
【０００２】
従来から、複数の導体を平面状に並設した構造からなるフラットハーネスと他の部材とを電気的に接続するためには、一般的に例えばフラットハーネスの端末部の絶縁被覆を剥がすなど除去して露出させた導体に、接続端子を半田付けなどにより接続して雄型コネクタ（プラグコネクタ）及び雌型コネクタ（レセプタクルコネクタ）のいずれか一方に収容し、他の部材に接続された接続端子が収容されているいずれか他方と嵌合して接続端子同士を接触させることにより接続が行われている。
【０００３】
また、フラットハーネスの端末部の絶縁被覆を除去して露出させた導体部を凸状の保持部に沿って外側にして折り曲げ、他の部材に接続された片側接触タイプの接触子で保持部の導体部を異なる方向から圧接するようにしたもの（例えば、特許文献１参照。）や、フラットハーネスの端末部の絶縁被覆を除去して露出させた導体部を弾性保持具に沿って外側にして折り曲げ、他の部材に接続された接続端子と弾性保持具の弾性力により圧接するようにしたもの（例えば、特許文献２参照。）が知られている。
【０００４】
【特許文献１】特開平９−１６１９１０号公報（第３−４頁、第１−４図）
【特許文献２】特開２０００−２３１９５７号公報（第３−４頁、第１−５図）
【発明の開示】
【発明が解決しようとする課題】
【０００５】
しかしながら、特許文献１に記載のフラットケーブル用コネクタでは、フラットハーネスの端末部の導体部を保持部に沿って折り曲げて接続を図る必要があるため、容易に接続を図り難く、接触子を収容するコネクタと導体部を収容するコネクタとが必要で両コネクタを嵌合させてフラットハーネスの接続を図るため、コネクタ設置場所の省スペース化が図り難いという問題がある。
また、特許文献２に記載のフレキシブルフラットケーブル用コネクタでは、フラットハーネスの端末部の導体部を弾性保持具に沿って折り曲げて取り付けた後に接続を図る必要があるため、特許文献１の場合と同様に容易に接続を図り難く、両コネクタの他に弾性保持具が必要でこの弾性保持具を収容するスペースが一方のコネクタに必要となるため、コネクタ設置場所の省スペース化が図り難いという問題がある。
更に、特許文献１及び２のものは、コネクタ同士を嵌合させて接続を図る構造のため、コネクタ嵌合作業場所の省スペース化も図り難いこととなる。
【０００６】
本発明は、このような問題点に鑑みてなされたもので、フラットハーネスの接続容易性を向上させると共に省スペース化を図ることができるフラットハーネスの接続構造及びコネクタを提供することを目的とする。
【課題を解決するための手段】
【０００７】
本発明に係るコネクタは、複数の導体が平面状に並設されると共に絶縁被覆で覆われてなり、その一端の少なくとも一方の面側の絶縁被覆が除去されて前記複数の導体が外部に露出されたフラットハーネスと、相手方接続端子とを接続するコネクタであって、一方の側壁に前記フラットハーネスの前記複数の導体が露出された端部を挿入するハーネス側挿入口が形成されると共に、これと対向する他方の側壁に前記相手方接続端子を挿入する端子側挿入口が形成され、内部に接続空間部が形成された絶縁体からなるコネクタハウジングと、このコネクタハウジングの前記接続空間部に収容されて、前記フラットハーネスの一端の外部に露出された複数の導体と前記相手方接続端子とを接続する導電部材であって、前記複数の導体の配列方向と平行な軸回りに筒状に巻回され、その外周と前記コネクタハウジングとの間に、前記ハーネス側挿入口から挿入されたフラットハーネスの一端及び前記端子側挿入口から挿入された相手方接続端子のうちの一方が挿入されて導通し、その内周と更にその内側に巻かれた部分の外周との間に、前記ハーネス側挿入口から挿入されたフラットハーネスの一端及び前記端子側挿入口から挿入された相手方接続端子のうちの他方が挿入されて導通する、前記複数の導体の配列方向に配列された複数の導電部材とを備えてなることを特徴とする。
【０００８】
本発明に係るフラットハーネスの接続構造は、複数の導体が平面状に並設されると共に絶縁被覆で覆われてなり、その一端の少なくとも一方の面側の絶縁被覆が除去されて前記複数の導体が外部に露出されたフラットハーネスと、相手方接続端子と、これらを接続するコネクタとを有するフラットハーネスの接続構造であって、前記コネクタは、一方の側壁に前記フラットハーネスの前記複数の導体が露出された端部を挿入するハーネス側挿入口が形成されると共に、これと対向する他方の側壁に前記相手方接続端子を挿入する端子側挿入口が形成され、内部に接続空間部が形成された絶縁体からなるコネクタハウジングと、このコネクタハウジングの前記接続空間部に収容された、前記フラットハーネスの一端の外部に露出された複数の導体と前記相手方接続端子とを接続する導電部材であって、前記複数の導体の配列方向と平行な軸回りに筒状に巻回され、その外周と前記コネクタハウジングとの間に、前記ハーネス側挿入口から挿入されたフラットハーネスの一端及び前記端子側挿入口から挿入された相手方接続端子のうちの一方が挿入されて導通し、その内周と更にその内側に巻かれた部分の外周との間に、前記ハーネス側挿入口から挿入されたフラットハーネスの一端及び前記端子側挿入口から挿入された相手方接続端子のうちの他方が挿入されて導通する、前記複数の導体の配列方向に配列された複数の導電部材とを備えてなることを特徴とする。
【発明の効果】
【０００９】
本発明によれば、コネクタのコネクタハウジングの接続空間部に、フラットハーネスの複数の導体の配列方向と平行な軸回りに巻回され、その外周とコネクタハウジングとの間にフラットハーネスの一端及び相手方接続端子のうちの一方が挿入されて導通されると共に、その内周と更にその内側に巻かれた部分の外周との間にフラットハーネスの一端及び相手方接続端子のうちの他方が挿入されて導通される複数の導電部材が備えられているため、コネクタハウジングのハーネス側挿入口及び端子側挿入口からそれぞれフラットハーネスの一端及び相手方接続端子を挿入するだけで導通を図ることができる。これにより、フラットハーネスの端末部分を従来のように折り曲げ加工などせずにフラットハーネスと相手方接続端子とを接続することができ、フラットハーネスの接続容易性を向上させることができる。
また、コネクタが従来のようなプラグコネクタ及びレセプタクルコネクタの２つの部材から構成されるものではないため、コネクタ設置場所やコネクタ嵌合作業場所などの省スペース化を図ることができる。
【発明を実施するための最良の形態】
【００１０】
以下、添付の図面を参照して、本発明の好ましい実施の形態を説明する。
【００１１】
図１は、本発明の一実施形態に係るフラットハーネスの接続構造を実現するコネクタの一部断面分解斜視図、図２及び図３は、このコネクタの断面図である。
コネクタ１は、フラットハーネスとしてのフレキシブルフラットケーブル（以下、「ＦＦＣ」と呼ぶ。）２０とこのＦＦＣ２０と電気的に接続される相手方接続端子としてのタブ端子３１とが挿入されるコネクタハウジング１０と、このコネクタハウジング１０に収容される複数の導電部材４０とを備えて構成されている。
【００１２】
ＦＦＣ２０は、この例では矩形断面を有する複数の導体２２を平面状に並設して、例えば絶縁樹脂フィルムからなる複数の絶縁被覆２３でこれらの導体２２をその厚さ方向にラミネート加工などにより覆った構造からなり、その一方の端末部２１の少なくとも一方の面側（ここでは上面側）の絶縁被覆２３が除去されて複数の導体２２が外部に露出された状態で構成されている。なお、フラットハーネスは、ＦＦＣ２０の他に、フレキシブルプリント回路（ＦＰＣ）やフレキシブルフラット回路（ＦＦＣ）などでも良い。
【００１３】
コネクタハウジング１０は、一方の側壁１４ａに複数の導体２２が露出されたＦＦＣ２０の端末部２１を挿入するためのハーネス側挿入口１５が形成されると共に、この側壁１４ａと対向する他方の側壁１４ｂにタブ端子３１を挿入するための端子側挿入口１６が形成され、更に内部に接続空間部１７が形成された箱状の樹脂成型部材などの絶縁体から構成されている。
【００１４】
このコネクタハウジング１０は、例えば導電部材４０を収容する収容部１１と、この収容部１１の上部にヒンジ部１３を介して開閉自在に取り付けられる蓋部１２とを備えて構成されている。これら収容部１１と蓋部１２とは、例えば収容部１１の側壁１４ｂに形成された突起部１８と、この突起部１８と係合する穴部１９ａを有する形状で蓋部１２の下面１２ａ側に形成された係合片１９とから構成される係合部で箱状に一体的に固定される。なお、蓋部１２の下面１２ａには、全閉時の収容部１１との位置決めのための位置決め突条１２ｂが形成されると共に、接続空間部１７での導電部材４０の位置決めのための凹型の位置決めスリット部４４が形成されている。
【００１５】
導電部材４０は、ＦＦＣ２０の複数の導体２２の配列方向と平行な軸回りに筒状に巻回され、例えばその外周と収容部１１の底面１１ａとの間に端子側挿入口１６から挿入されたタブ端子３１が挿入されて導通すると共に、その内周と更にその内側に巻かれた部分の外周との間にハーネス側挿入口１５から挿入された端末部２１の導体２２が挿入され導通する構造からなり、接続空間部１７内に挿入された端末部２１の複数の導体２２の配列方向に複数配列されている。これら導電部材４０は、蓋部１２を収容部１１に対して閉じたときに、筒状に巻回した部分の上方側の外周が蓋部１２の位置決めスリット部４４に嵌り位置決めされると共に筒状態が保持された状態で接続空間部１７内に収容される。
【００１６】
なお、導電部材４０の筒状に巻回された部分と反対側の端部には、穴部４５が形成され、この端部が収容部１１の底面１１ａに形成された固定溝部１１ｂに挿入され固定溝部１１ｂ内の突起１１ｃにこの穴部４４が係止されることにより、導電部材４０がより正確に接続空間部１７内で位置決め固定される。この導電部材４０の筒状に巻回された部分は弾性を備えている。
【００１７】
このように構成されたコネクタ１では、蓋部１２を収容部１１に対して閉じた状態のコネクタハウジング１０の接続空間部１７に、端子側挿入口１６を通して挿入されたタブ端子３１は、導電部材４０の筒状に巻回された部分の外周と収容部１１の底面１１ａとの間に挿入されて外周と底面１１ａとに挟まれた状態で導電部材４０と導通する。また、ハーネス側挿入口１５を通して挿入されたＦＦＣ２０の端末部２１の複数の導体２２は、導電部材４０の筒状に巻回された部分の内周と更にその内側に巻かれた部分の外周との間に挿入されて内周とその内側に巻かれた部分の外周とに挟まれた状態で導電部材４０と導通する。これにより、ＦＦＣ２０の複数の導体２２とタブ端子３１とは、コネクタ１のコネクタハウジング１０に挿入するだけで導電部材４０を介して電気的に接続されることとなり、ＦＦＣ２０の接続容易性を向上させることができる。また、ＦＦＣ２０とタブ端子３１との接続を実現するためのコネクタ１が１つで済むため、コネクタ設置場所や嵌合作業場所等の省スペース化を積極的に図ることが可能となる。
【００１８】
図４は、本発明の他の実施形態に係るＦＦＣの接続構造を実現するコネクタの一部断面分解斜視図、図５及び図６は、このコネクタの断面図である。なお、以降において、既に説明した部分と重複する説明は割愛する。
この例のコネクタ１Ａは、コネクタハウジング１０の蓋部１２´の底面１２ａに位置決めスリット部４４が形成されていない点と、接続空間部１７内に複数の導電部材４０が可撓性フィルムなどのベース部材４２の上に複数の導体２２の配列方向に配列された構造からなる導電接続部材４１として収容されている点とが、先の例のコネクタ１と相違している。このコネクタ１Ａにおいても上記コネクタ１と同様にＦＦＣ２０の接続容易性を向上させ、コネクタ設置場所や嵌合作業場所等の省スペース化を積極的に図ることができる。
【００１９】
図７は、本発明の更に他の実施形態に係るＦＦＣの接続構造を説明するためのコネクタの一部断面分解斜視図、図８及び図９は、このコネクタの断面図である。
この例のコネクタ１Ｂは、コネクタハウジング１０´の蓋部１２´の底面１２ａに位置決めスリット部４４が形成されていない点と、収容部１１´の接続空間部１７内に収容される複数の導電部材４０がそれぞれ接触しないようにするための複数の仕切壁部５０が収容部１１´に形成されている点とが、先の例のコネクタ１と相違している。なお、これら複数の仕切壁部５０は、各導電部材４０の接続空間部１７内での位置決めも兼ねている。このコネクタ１Ｂにおいても上記コネクタ１と同様にＦＦＣ２０の接続容易性を向上させ、コネクタ設置場所や嵌合作業場所等の省スペース化を積極的に図ることが可能となる。
【００２０】
なお、図１０及び図１１に示すように、ＦＦＣ２０´の端末部２１において、複数の導体２２を覆う両面の絶縁被覆２３が除去されて、各導体２２が剥き出しで独立した状態からなるものであれば、コネクタ１Ａ´及びコネクタ１Ｂ´のコネクタハウジング１０，１０´の収容部１１，１１´におけるハーネス側挿入口１５は、接続空間部１７側から見て独立した各導体２２がそれぞれ位置決めされて挿入されるように複数の穴１５ａを備える構造からなるものであると良い。このようにすれば、端末部２１のハーネス側挿入口１５への挿入時に隣接する導体２２同士が接触したりする不具合を防止することができる。
【産業上の利用可能性】
【００２１】
本発明は、フラットハーネスを他の部材と接続して使用する各種産業に利用できる。
【図面の簡単な説明】
【００２２】
【図１】本発明の一実施形態に係るフラットハーネスの接続構造を実現するコネクタの一部断面分解斜視図である。
【図２】同コネクタの断面図である。
【図３】同コネクタの断面図である。
【図４】本発明の他の実施形態に係るフラットハーネスの接続構造を実現するコネクタの一部断面分解斜視図である。
【図５】同コネクタの断面図である。
【図６】同コネクタの断面図である。
【図７】本発明の更に他の実施形態に係るフラットハーネスの接続構造を実現するコネクタの一部断面分解斜視図である。
【図８】同コネクタの断面図である。
【図９】同コネクタの断面図である。
【図１０】本発明の更に他の実施形態に係るフラットハーネスの接続構造を実現するコネクタの一部断面分解斜視図である。
【図１１】本発明の更に他の実施形態に係るフラットハーネスの接続構造を実現するコネクタの一部断面分解斜視図である。
【符号の説明】
【００２３】
１，１Ａ，１Ｂ，１Ａ´，１Ｂ´…コネクタ、１０，１０´…コネクタハウジング、１１，１１´…収容部、１２，１２´…蓋部、１３…ヒンジ部、１４…側壁、１５…ハーネス側挿入口、１６…端子側挿入口、２０，２０´…フラットハーネス、２１…端末部、２２…導体、３１…タブ端子、４０…導電部材、４１…導電接続部材、４２…ベース部材、５０…仕切壁部。
【図１】
2005093271.tif 000003
【図２】
2005093271.tif 000004
【図３】
2005093271.tif 000005
【図４】
2005093271.tif 000006
【図５】
2005093271.tif 000007
【図６】
2005093271.tif 000008
【図７】
2005093271.tif 000009
【図８】
2005093271.tif 000010
【図９】
2005093271.tif 000011
【図１０】
2005093271.tif 000012
【図１１】
2005093271.tif 000013